(57)【要約】【課題】無線基地局のカバーエリアの圏外に位置する無線通信端末であっても、緊急速報を即時に受信させることができるようにする。【解決手段】送信部４００は、受信したメッセージに、緊急性が高い情報である緊急速報が含まれている場合に、当該メッセージを、無線基地局が用いた所定のチャネルと同一のチャネルを用いて、スケジューリング情報に基づくタイミングと異なるタイミングにより送信する。【選択図】図２
2020036204.tif 000002
【特許請求の範囲】
【請求項１】
セルラ通信システムにおける無線通信端末であって、
無線基地局から所定のチャネルを用いて前記無線基地局のスケジューリング情報に基づくタイミングにより送信された、緊急性が高い情報である緊急速報を含むメッセージを受信し、また前記無線基地局から前記スケジューリング情報を受信する受信部と、
前記メッセージに、前記緊急速報が含まれていることを検知する緊急速報検知部と、
前記メッセージに緊急速報が含まれている場合に、前記メッセージを、前記所定のチャネルと同一のチャネルを用いて、前記スケジューリング情報に基づくタイミングと異なるタイミングにより送信する送信部と、
を備えることを特徴とする無線通信端末。
【請求項２】
セルラ通信システムにおける無線通信端末であって、
他の無線通信端末から無線基地局における所定のチャネルと同一のチャネルを用いて送信されたメッセージを受信し、前記無線基地局が前記メッセージを前記他の無線通信端末へ送信するためのスケジューリング情報を前記他の無線通信端末から受信する受信部と、
前記メッセージに、緊急性が高い情報である緊急速報が含まれていることを検知する緊急速報検知部と、
前記メッセージに緊急速報が含まれている場合に、前記メッセージを、前記所定のチャネルと同一のチャネルを用いて、前記スケジューリング情報に基づくタイミングと異なるタイミングにより送信する送信部と、
を備えることを特徴とする無線通信端末。
【請求項３】
前記所定のチャネルはＰＣＨ（Ｐａｇｉｎｇ  Ｃｈａｎｎｅｌ）であり、
前記緊急速報は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）情報であり、
前記スケジューリング情報は、ＳＩＢ１（Ｓｙｓｔｅｍ  Ｉｎｆｏｒｍａｔｉｏｎ  Ｂｌｏｃｋ  ｔｙｐｅ１）に含まれる情報である
ことを特徴とする請求項１又は２記載の無線通信端末。
【請求項４】
前記緊急速報に含まれるエリア情報に基づいて、又は、前記メッセージに含まれる前記メッセージの転送回数に基づいて、前記メッセージを送信すべきか否かを判定する判定部
を更に備えることを特徴とする請求項１乃至３の何れか１項記載の無線通信端末。
【請求項５】
他の無線通信端末と端末間通信した時刻を含む履歴を記憶する履歴記憶部と、
前記履歴の時刻と、前記メッセージの受信時刻との差分が、所定の閾値以下である場合に、前記メッセージを送信することを決定する決定部と、
を更に備えることを特徴とする請求項１乃至４の何れか１項記載の無線通信端末。
【請求項６】
セルラ通信システムにおける緊急速報通知システムであって、
請求項１乃至５の何れか１項記載の無線通信端末を備えることを特徴とする緊急速報通知システム。
【請求項７】
セルラ通信システムにおける無線通信端末における緊急速報通知方法であって、
無線基地局から所定のチャネルを用いて前記無線基地局のスケジューリング情報に基づくタイミングにより送信された、緊急性が高い情報である緊急速報を含むメッセージを受信し、また前記無線基地局から前記スケジューリング情報を受信する受信ステップと、
前記メッセージに、前記緊急速報が含まれていることを検知する緊急速報検知ステップと、
前記メッセージに緊急速報が含まれている場合に、前記メッセージを、前記所定のチャネルと同一のチャネルを用いて、前記スケジューリング情報に基づくタイミングと異なるタイミングにより送信する送信ステップと、
を含む緊急速報通知方法。
【請求項８】
コンピュータを、請求項１乃至５の何れか１項記載の無線通信端末の各部として機能させるためのプログラム。
【請求項９】
セルラ通信システムにおける無線通信端末であって、
無線基地局から所定のチャネルを用いて、前記無線基地局のスケジューリング情報に基づくタイミングにより送信された、前記スケジューリング情報を含むメッセージを受信する受信部と、
前記メッセージに、緊急性が高い情報である緊急速報が含まれていることを検知する緊急速報検知部と、
前記メッセージに緊急速報が含まれている場合に、前記メッセージを、前記所定のチャネルと同一のチャネルを用いて、前記スケジューリング情報に基づくタイミングと異なるタイミングにより送信する送信部と、
を備えることを特徴とする無線通信端末。
【請求項１０】
セルラ通信システムにおける無線通信端末であって、
他の無線通信端末から無線基地局における所定のチャネルと同一のチャネルを用いて送信された、無線基地局のスケジューリング情報を含むメッセージを受信する受信部と、
前記メッセージに、緊急性が高い情報である緊急速報が含まれていることを検知する緊急速報検知部と、
前記メッセージに緊急速報が含まれている場合に、前記メッセージを、前記所定のチャネルと同一のチャネルを用いて、前記スケジューリング情報に基づくタイミングと異なるタイミングにより送信する送信部と、
を備えることを特徴とする無線通信端末。
【請求項１１】
前記所定のチャネルはＰＣＨ（Ｐａｇｉｎｇ  Ｃｈａｎｎｅｌ）であり、
前記緊急速報は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）情報であり、
前記スケジューリング情報は、ＳＩＢ１（Ｓｙｓｔｅｍ  Ｉｎｆｏｒｍａｔｉｏｎ  Ｂｌｏｃｋ  ｔｙｐｅ１）に含まれる情報である
ことを特徴とする請求項９又は１０記載の無線通信端末。
【発明の詳細な説明】
【技術分野】
【０００１】
本発明は、無線通信端末、緊急速報通知システム、緊急速報通知方法、及びプログラムに関する。
【背景技術】
【０００２】
現代の携帯電話に用いられている移動通信システムは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＬＴＥ（Ｌｏｎｇ  Ｔｅｒｍ  Ｅｖｏｌｕｔｉｏｎ）といった方式が３ＧＰＰ（３ｒｄ  Ｇｅｎｅｒａｔｉｏｎ  Ｐａｒｔｎｅｒｓｈｉｐ  Ｐｒｏｊｅｃｔ）により策定されている。
【０００３】
音声通話やデータ通信を外出先等のあらゆる場所で使用可能とする機能が主であるが、携帯電話、特にスマートフォンは広く普及しているため、データ通信を用いて災害等の情報を通知する、緊急速報にも使用されている。
【０００４】
第３世代移動通信であるＷ−ＣＤＭＡでは、ＣＢＳ（Ｃｅｌｌ  Ｂｒｏａｄｃａｓｔ  Ｓｅｒｖｉｃｅ）という災害等の情報を一斉に配信する緊急速報通知システムを用いていた。一方、ＬＴＥではＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）というＣＢＳを発展させた緊急速報通知システムを採用している（非特許文献１）。
【０００５】
ＣＢＳでは、通知する情報をまとめた一つのメッセージをブロードキャストしていたが、地震や津波等の事象では、一秒でも早く情報が通知される必要がある。
【０００６】
ＥＴＷＳでは、どのような災害が発生したかというシンプルな情報を、詳細情報の通知に先行して無線通信端末に通知させるＰｒｉｍａｒｙ  Ｎｏｔｉｆｉｃａｔｉｏｎというメッセージを送信する。その後、Ｓｅｃｏｎｄａｒｙ  ＮｏｔｉｆｉｃａｔｉｏｎというＣＢＳに相当する事象に関する詳細情報を通知している。例えば、地震情報であれば、Ｓｅｃｏｎｄａｒｙ  Ｎｏｔｉｆｉｃａｔｉｏｎに震源地や震度に関する情報が含まれる。
【０００７】
ＥＴＷＳは、無線通信端末から無線基地局に対する信号は一切送信せず、無線基地局から無線通信端末への一方向通信であることが特徴である。
【０００８】
また、３ＧＰＰでは、Ｄ２Ｄ（Ｄｅｖｉｃｅ  ｔｏ  Ｄｅｖｉｃｅ）という、無線基地局を必要としない、無線通信端末同士で通信のやりとりをするための規格が策定されている（非特許文献２）。
【０００９】
Ｄ２Ｄでは、無線基地局から見て圏外のエリアにある無線通信端末との通信を、無線基地局のカバーエリアに在圏する無線通信端末を中継することで実現するシステムである。
【００１０】
また、無線基地局を一切伴わずに、無線通信端末同士の自律的な通信を行う場合も想定されている。この場合、無線通信端末が用いる送信時のリソース（周波数や時間）は、ＬＴＥ回線の上り方向の一部を用いる。
【００１１】
しかし、無線基地局のカバーエリアの圏外に位置する無線通信端末には、たとえその無線通信端末が被災エリアにあったとしても、ＣＢＳやＥＴＷＳ等の緊急速報が届かない。このような現象は、無線基地局を十分に配置していたとしても、一部の無線基地局が災害により機能停止してしまうことにより生じ得る。
【００１２】
このため、モバイルネットワークで緊急災害情報を配信するにあたって、山間部やトンネル等の電波が到達しにくい場所に位置するユーザに対しても、迅速に情報を通知するシステムが必要となる。
【００１３】
この点、特許文献１では、無線基地局のカバーエリアの圏外に位置する無線通信端末に、圏内に位置する無線通信端末を中継器として用いて情報を送信する技術が開示されている。
【００１４】
また、非特許文献３には、Ｄ２Ｄ通信を用いて、ＥＴＷＳとＰｒｏｘｉｍｉｔｙ  Ｓｅｒｖｉｃｅにより無線基地局のカバーエリアの圏外に位置する無線通信端末に、緊急速報を送信する技術が開示されている。
【先行技術文献】
【特許文献】
【００１５】
【特許文献１】特開２００９−７１７８４号公報
【非特許文献】
【００１６】
【非特許文献１】３ＧＰＰ  ＴＲ  ２３．８２８  Ｖ８．０．０
【非特許文献２】３ＧＰＰ  ＴＲ  ３６．８４３  Ｖ１２．０．１
【非特許文献３】六平  豊、中村  嘉隆、稲村  浩、「カバレッジ外の端末へ緊急速報を配信するためのProximity Servicesを用いた同報配信システム」、マルチメディア，分散協調とモバイルシンポジウム２０１７論文集、情報処理学会、2017年6月28日、p.955-962
【発明の概要】
【発明が解決しようとする課題】
【００１７】
しかしながら、ＥＴＷＳのような情報伝達の即時性が要求される情報を扱う場合、無線通信端末間の相互接続処理に少なからず時間を要してしまうため、即時性の要件を満足しない、という問題があった。
【００１８】
本発明は上記の点に鑑みてなされたものであり、無線基地局のカバーエリアの圏外に位置する無線通信端末であっても、緊急速報に関する情報を即時に受信させることができる無線通信端末、緊急速報通知システム、緊急速報通知方法、及びプログラムを提供することを目的とする。
【課題を解決するための手段】
【００１９】
第１の発明に係る無線通信端末は、セルラ通信システムにおける無線通信端末であって、無線基地局から所定のチャネルを用いて前記無線基地局のスケジューリング情報に基づくタイミングにより送信された、緊急性が高い情報である緊急速報を含むメッセージを受信し、また前記無線基地局から前記スケジューリング情報を受信する受信部と、前記メッセージに、前記緊急速報が含まれていることを検知する緊急速報検知部と、前記メッセージに緊急速報が含まれている場合に、前記メッセージを、前記所定のチャネルと同一のチャネルを用いて、前記スケジューリング情報に基づくタイミングと異なるタイミングにより送信する送信部と、を備えて構成される。
【００２０】
また、第１の発明に係る緊急速報通知方法は、セルラ通信システムにおける無線通信端末における緊急速報通知方法であって、無線基地局から所定のチャネルを用いて前記無線基地局のスケジューリング情報に基づくタイミングにより送信された、緊急性が高い情報である緊急速報を含むメッセージを受信し、また前記無線基地局から前記スケジューリング情報を受信する受信ステップと、前記メッセージに、前記緊急速報が含まれていることを検知する緊急速報検知ステップと、前記メッセージに緊急速報が含まれている場合に、前記メッセージを、前記所定のチャネルと同一のチャネルを用いて、前記スケジューリング情報に基づくタイミングと異なるタイミングにより送信する送信ステップと、を含む。
【００２１】
第１の発明に係る無線通信端末及び緊急速報通知方法によれば、受信部が、無線基地局から所定のチャネルを用いて無線基地局のスケジューリング情報に基づくタイミングにより送信された、緊急性が高い情報である緊急速報を含むメッセージを受信し、また無線基地局からスケジューリング情報を受信し、緊急速報検知部が、メッセージに、緊急速報が含まれていることを検知する。
【００２２】
そして、送信部が、メッセージに緊急速報が含まれている場合に、前記メッセージを、前記所定のチャネルと同一のチャネルを用いて、前記スケジューリング情報に基づくタイミングと異なるタイミングにより送信する。
【００２３】
このように、受信した無線基地局のスケジューリング情報を含むメッセージに、緊急性が高い情報である緊急速報が含まれている場合に、当該メッセージを、無線基地局が用いた所定のチャネルと同一のチャネルを用いて、スケジューリング情報に基づくタイミングと異なるタイミングにより送信することにより、無線基地局のカバーエリアの圏外に位置する無線通信端末であっても、緊急速報に関する情報を即時に受信させることができる。
【００２４】
また、第１の発明に係る無線通信端末は、セルラ通信システムにおける無線通信端末であって、他の無線通信端末から無線基地局における所定のチャネルと同一のチャネルを用いて送信されたメッセージを受信し、前記無線基地局が前記メッセージを前記他の無線通信端末へ送信するためのスケジューリング情報を前記他の無線通信端末から受信する受信部と、前記メッセージに、緊急性が高い情報である緊急速報が含まれていることを検知する緊急速報検知部と、前記メッセージに緊急速報が含まれている場合に、前記メッセージを、前記所定のチャネルと同一のチャネルを用いて、前記スケジューリング情報に基づくタイミングと異なるタイミングにより送信する送信部と、を備えて構成される。
【００２５】
このように、受信した無線基地局のスケジューリング情報を含むメッセージに、緊急性が高い情報である緊急速報が含まれている場合に、当該メッセージを、無線基地局における所定のチャネルと同一のチャネルを用いて、スケジューリング情報に基づくタイミングと異なるタイミングにより送信することにより、無線基地局のカバーエリアの圏外に位置する無線通信端末であっても、緊急速報に関する情報を即時に受信させることができる。
【００２６】
また、第１の発明に係る無線通信端末の前記所定のチャネルはＰＣＨ（Ｐａｇｉｎｇ  Ｃｈａｎｎｅｌ）であり、前記緊急速報は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）情報であり、前記スケジューリング情報は、ＳＩＢ１（Ｓｙｓｔｅｍ  Ｉｎｆｏｒｍａｔｉｏｎ  Ｂｌｏｃｋ  ｔｙｐｅ１）に含まれる情報である、とすることができる。
【００２７】
また、第１の発明に係る無線通信端末は、前記緊急速報に含まれるエリア情報に基づいて、又は、前記メッセージに含まれる前記メッセージの転送回数に基づいて、前記メッセージを送信すべきか否かを判定する判定部、を更に含むことができる。
【００２８】
また、第１の発明に係る無線通信端末は、他の無線通信端末と端末間通信した時刻を含む履歴を記憶する履歴記憶部と、前記履歴の時刻と、前記メッセージの受信時刻との差分が、所定の閾値以下である場合に、前記メッセージを送信することを決定する決定部と、を更に含むことができる。
【００２９】
第１の発明に係る緊急速報通知システムは、セルラ通信システムにおける緊急速報通知システムであって、上記の無線通信端末を含む。
【００３０】
第１の発明に係るプログラムは、上記の無線通信端末の各部として機能させるためのプログラムである。
【００３１】
第２の発明に係る無線通信端末は、セルラ通信システムにおける無線通信端末であって、無線基地局から所定のチャネルを用いて、前記無線基地局のスケジューリング情報に基づくタイミングにより送信された、前記スケジューリング情報を含むメッセージを受信する受信部と、前記メッセージに、緊急性が高い情報である緊急速報が含まれていることを検知する緊急速報検知部と、前記メッセージに緊急速報が含まれている場合に、前記メッセージを、前記所定のチャネルと同一のチャネルを用いて、前記スケジューリング情報に基づくタイミングと異なるタイミングにより送信する送信部と、を備えて構成される。
【００３２】
第２の発明に係る無線通信端末によれば、受信部が、無線基地局から所定のチャネルを用いて、当該無線基地局のスケジューリング情報に基づくタイミングにより送信された、当該スケジューリング情報を含むメッセージを受信し、緊急速報検知部が、当該メッセージに、緊急性が高い情報である緊急速報が含まれていることを検知する。
【００３３】
そして、送信部が、メッセージに緊急速報が含まれている場合に、当該メッセージを、所定のチャネルと同一のチャネルを用いて、スケジューリング情報に基づくタイミングと異なるタイミングにより送信する。
【００３４】
このように、受信した無線基地局のスケジューリング情報を含むメッセージに、緊急性が高い情報である緊急速報が含まれている場合に、当該メッセージを、無線基地局が用いた所定のチャネルと同一のチャネルを用いて、スケジューリング情報に基づくタイミングと異なるタイミングにより送信することにより、無線基地局のカバーエリアの圏外に位置する無線通信端末であっても、緊急速報に関する情報を即時に受信させることができる。
【００３５】
また、第２の発明に係る無線通信端末は、セルラ通信システムにおける無線通信端末であって、他の無線通信端末から無線基地局における所定のチャネルと同一のチャネルを用いて送信された、無線基地局のスケジューリング情報を含むメッセージを受信する受信部と、前記メッセージに、緊急性が高い情報である緊急速報が含まれていることを検知する緊急速報検知部と、前記メッセージに緊急速報が含まれている場合に、前記メッセージを、前記所定のチャネルと同一のチャネルを用いて、前記スケジューリング情報に基づくタイミングと異なるタイミングにより送信する送信部と、を備えて構成される。
【００３６】
このように、受信した無線基地局のスケジューリング情報を含むメッセージに、緊急性が高い情報である緊急速報が含まれている場合に、当該メッセージを、無線基地局における所定のチャネルと同一のチャネルを用いて、スケジューリング情報に基づくタイミングと異なるタイミングにより送信することにより、無線基地局のカバーエリアの圏外に位置する無線通信端末であっても、緊急速報に関する情報を即時に受信させることができる。
【００３７】
また、第２の発明に係る無線通信端末の前記所定のチャネルはＰＣＨ（Ｐａｇｉｎｇ  Ｃｈａｎｎｅｌ）であり、前記緊急速報は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）情報であり、前記スケジューリング情報は、ＳＩＢ１（Ｓｙｓｔｅｍ  Ｉｎｆｏｒｍａｔｉｏｎ  Ｂｌｏｃｋ  ｔｙｐｅ１）に含まれる情報である、とすることができる。
【発明の効果】
【００３８】
本発明の無線通信端末、緊急速報通知システム、緊急速報通知方法、及びプログラムによれば、無線基地局のカバーエリアの圏外に位置する無線通信端末であっても、緊急速報に関する情報を即時に受信させることができる。
【図面の簡単な説明】
【００３９】
【図１】本発明の第１の実施の形態に係る緊急速報通知システムの構成を示す概略図である。
【図２】本発明の第１の実施の形態に係る無線通信端末の構成を示すブロック図である。
【図３】本発明の第１の実施の形態に係る無線通信端末の緊急速報通知処理ルーチンを示すフローチャートである。
【図４】本発明の第２の実施の形態に係る緊急速報通知システムの構成を示す概略図である。
【図５】本発明の第２の実施の形態に係る無線通信端末の構成を示すブロック図である。
【図６】本発明の第２の実施の形態に係る無線通信端末の緊急速報通知処理ルーチンを示すフローチャートである。
【発明を実施するための形態】
【００４０】
以下、本発明の実施の形態について図面を用いて説明する。
【００４１】
＜本発明の実施の形態に係る無線通信端末の概要＞
本発明の実施の形態に係る無線通信端末は、無線基地局からスケジューリング情報に基づいて送信されたページング情報を受信し、当該ページング情報にＥＴＷＳ情報が含まれている場合に、当該ページング情報を、無線基地局が用いた所定のチャネルであるＰＣＨを用いて、スケジューリング情報に基づくタイミングと異なるタイミングにより送信する。
【００４２】
Ｄ２Ｄ通信では、ＰＳＢＣＨ（Ｐｈｙｓｉｃａｌ  Ｓｉｄｅｌｉｎｋ  Ｂｒｏａｄｃａｓｔ  Ｃｏｎｔｒｏｌ  ＣＨａｎｎｅｌ）というＤ２Ｄ通信を使用するために規定されたチャネルを用いて、無線基地局のカバーエリアの圏外に位置する無線通信端末へ情報を報知する必要がある（非特許文献３）。
【００４３】
これに対して、本発明の実施の形態に係る無線通信端末は、無線基地局がページング信号を送信する際に使用しているＰＣＨを用いて、ＥＴＷＳ信号をブロードキャスト送信により、当該無線通信端末の電波が届く範囲内に転送する。
【００４４】
無線基地局のカバーエリアの圏外に位置する無線通信端末は、本発明の実施の形態に係る無線通信端末が送信しているページング信号を受信する。これにより、無線基地局のカバーエリアの圏外に位置する場合においても、無線通信端末間の通信を確立することなく、無線基地局からのＥＴＷＳ信号を受信したように認識することができる。
【００４５】
このような構成により、無線基地局のカバーエリアの圏外に位置する無線通信端末であっても、緊急速報に関する情報を即時に受信させることができる。
【００４６】
＜本発明の第１の実施の形態に係る緊急速報通知システムの構成＞
図１を参照して、本発明の実施の形態に係る緊急速報通知システム１の構成について説明する。図１は、本発明の実施の形態に係る緊急速報通知システム１の構成を示す概略図である。
【００４７】
本実施形態では、緊急速報通知システム１は、ＬＴＥ及びＥＴＷＳに準拠する無線通信システムである場合を例に説明する。
【００４８】
図１に示すように、本実施形態に係る緊急速報通知システム１は、無線基地局１０と、無線通信端末１１と、無線通信端末１２とを備えて構成される。
【００４９】
図１において、無線基地局１０が通信可能なエリア（セル）を、カバーエリア２０とする。また、図１において、無線通信端末１１が通信可能なエリアを、カバーエリア２１とする。
【００５０】
図１に示すように、無線通信端末１１は、無線基地局１０のカバーエリア２０の圏内に位置し、無線通信端末１２は、無線基地局１０のカバーエリア２０の圏外に位置すると共に、無線通信端末１１のカバーエリア２１の圏内に位置する。
【００５１】
無線基地局１０は、定期的にＰＣＨ（Ｐａｇｉｎｇ  Ｃｈａｎｎｅｌ）を用いてページング信号を送信する。ページング信号は、無線基地局１０の報知するページング情報を無線信号に変換した情報である。ページング信号は、無線基地局１０から緊急速報が送信されることをページング信号の送信先（図１においては無線通信端末１１）へ通知する情報であるＥＴＷＳ−Ｉｎｄｉｃａｔｉｏｎを含んでもよい。ＥＴＷＳ−Ｉｎｄｉｃａｔｉｏｎは、ＥＴＷＳ情報の一態様である。
【００５２】
また、無線基地局１０は、無線通信端末１１へＳＩＢ１（Ｓｙｓｔｅｍ  Ｉｎｆｏｒｍａｔｉｏｎ  Ｂｌｏｃｋ  ｔｙｐｅ  １）を送信する。ＳＩＢ１は、無線基地局１０からのページング信号送信のスケジューリング情報が含まれているブロックであり、無線基地局１０は当該スケジューリング情報に基づいて、ページング信号を送信する。
【００５３】
また、無線基地局１０は、緊急速報配信要求を上位網（例えば、ＭＭＥ（Ｍｏｂｉｌｉｔｙ  Ｍａｎａｇｅｍｅｎｔ  Ｅｎｔｉｔｙ、図示しない））から受け取ると、カバーエリア２０の圏内に位置する無線通信端末１１に対して、ＥＴＷＳ情報を含めたページング信号を、ＰＣＨを用いて送信する。
【００５４】
無線通信端末１１は、アンテナ１００、ＲＦ回路、ベースバンド回路、ＣＰＵと、ＲＡＭと、後述する緊急速報通知処理ルーチンを実行するためのプログラムを記憶したＲＯＭとを備えたコンピュータで構成され、機能的には次に示すように構成されている。
【００５５】
図２に示すように、本実施形態に係る無線通信端末１１は、受信部２００と、制御部３００と、送信部４００とを備えて構成される。
【００５６】
受信部２００は、無線基地局１０からＰＣＨを用いて、無線基地局１０のスケジューリング情報に基づくタイミングにより送信された、ページング信号を受信する。また、受信部２００は、無線基地局１０からＢＣＨ（Ｂｒｏａｄｃａｓｔ  Ｃｈａｎｎｅｌ）を用いてＳＩＢ１を受信する。無線通信端末１１は、無線基地局１０から受信したページング信号にＥＴＷＳ−Ｉｎｄｉｃａｔｉｏｎが含まれていることを緊急速報検知部３１０で検出して、無線基地局１０からＳＩＢ１を受信する動作に移行してもよい。
【００５７】
受信部２００は、アンテナ１００を介して、無線基地局１０から無線信号であるページング信号を受信すると共に、当該ページング信号を、ページング情報に変換する。
【００５８】
そして、受信部２００は、ページング情報を制御部３００に渡す。
【００５９】
制御部３００は、緊急速報検知部３１０とスケジューラ３２０とを備えて構成される。
【００６０】
緊急速報検知部３１０は、受信部２００から渡されたページング情報に、緊急性が高い情報である緊急速報が含まれていることを検知する。
【００６１】
具体的には、緊急速報検知部３１０は、ページング情報に、ＥＴＷＳ情報が含まれているか否かを判定する。この判定において、緊急速報検知部３１０はページング情報にＥＴＷＳ−Ｉｎｄｉｃａｔｉｏｎが含まれているか否かに基づいて判定してもよい。
【００６２】
緊急速報検知部３１０は、受信したページング情報にＥＴＷＳ情報が含まれていると判定した場合、当該ページング情報を、スケジューラ３２０に渡す。
【００６３】
また、この場合、緊急速報検知部３１０は、制御部３００に、ユーザに対して緊急速報の情報を通知するため、Ｐｒｉｍａｒｙ／Ｓｅｃｏｎｄａｒｙ  Ｎｏｔｉｆｉｃａｔｉｏｎの情報を受信するシーケンスへ移行するように命ずる。当該シーケンスについては、既存の手法を用いればよい。
【００６４】
一方、緊急速報検知部３１０が、受信したページング情報にＥＴＷＳ情報が含まれていないと判定した場合、無線通信端末１１は、現在の状態（例えば、Ｉｄｌｅ）を維持する。
【００６５】
スケジューラ３２０は、無線基地局１０から受信したＳＩＢ１から無線基地局１０のスケジューリング情報を取得し、当該スケジューリング情報に基づくタイミングと異なるタイミングにより当該ページング情報を送信するように決定する。
【００６６】
例えば、無線基地局１０がページング情報を８０ｍｓで間欠送信している場合、スケジューラ３２０は、無線基地局１０が間欠送信するタイミングから４０ｍｓずらしたタイミングにより当該ページング情報を送信するように決定する。
【００６７】
そして、スケジューラ３２０は、当該ページング情報、及び決定したタイミングを送信部４００に渡す。
【００６８】
送信部４００は、アンテナ１００を介して、当該ページング情報を無線基地局１０が用いたチャネルと同一のチャネルであるＰＣＨを用いて、無線基地局１０のスケジューリング情報に基づくタイミングと異なるタイミングにより送信する。
【００６９】
具体的には、送信部４００は、スケジューラ３２０から受け取ったページング情報から、ページング情報をＰＣＨを用いて送信するためのページング信号を生成し、スケジューラ３２０から受け取ったタイミングに基づいて、生成したページング信号を無線通信端末１１のカバーエリア２１の圏内に位置する無線通信端末１２に送信する。
【００７０】
この際、送信部４００は、アンテナ１００を介して、無線基地局１０から受信したＳＩＢ１を無線基地局１０が用いたチャネルと同一のチャネルであるＢＣＨを用いて送信してもよい。
【００７１】
具体的には、送信部４００は、無線基地局１０から受信したＳＩＢ１から、ＳＩＢ１をＢＣＨを用いて送信するためのＳＩＢ１転送信号を生成し、ページング信号と併せて、又はページング信号と個別に、生成したＳＩＢ１信号を無線通信端末１１のカバーエリア２１の圏内に位置する無線通信端末１２に送信してもよい。
【００７２】
無線通信端末１２は、無線基地局１０のカバーエリア２０の圏内に位置する場合に、無線基地局１０からＥＴＷＳ情報を受信することができる無線通信端末である。また、無線通信端末１２は、本実施形態に係る無線通信端末１１と同様の構成を備えている必要はない。
【００７３】
無線通信端末１２は、無線通信端末１１のカバーエリア２１に位置するため、無線通信端末１１から送信されたＥＴＷＳ情報を含むページング信号を受信する。また無線通信端末１２は、ページング信号と併せて、又はページング信号とは個別に、無線通信端末１１から送信されたＳＩＢ１転送信号を受信してもよい。
【００７４】
＜本発明の第１の実施の形態に係る無線通信端末１１の作用＞
図３は、本発明の実施の形態に係る緊急速報通知処理ルーチンを示すフローチャートである。
【００７５】
受信部２００がページング信号を受信すると、無線通信端末１１において、図３に示す緊急速報通知処理ルーチンが実行される。
【００７６】
まず、ステップＳ１００において、受信部２００は、無線基地局１０からＰＣＨを用いて、無線基地局１０のスケジューリング情報に基づくタイミングにより送信されたページング情報を受信する。また受信部２００は無線基地局１０からＢＣＨを用いてＳＩＢ１を受信する。
【００７７】
ステップＳ１１０において、緊急速報検知部３１０はページング情報に、緊急性が高い情報である緊急速報が含まれているか否かを判定する。
【００７８】
緊急速報が含まれている場合（上記ステップＳ１１０のＹＥＳ）、ステップＳ１２０において、スケジューラ３２０は、上記ステップＳ１００により受信したＳＩＢ１から無線基地局１０のスケジューリング情報を取得し、当該ページング情報を送信するタイミングを、当該スケジューリング情報に基づくタイミングと異なるタイミングにより送信するように決定する。
【００７９】
ステップＳ１３０において、送信部４００は、上記ステップＳ１００により受信したページング情報から、当該ページング情報を無線基地局１０が用いたチャネルと同一のチャネルであるＰＣＨを用いて送信するためのページング信号を生成する。無線通信端末１１がＳＩＢ１を無線基地局１０が用いたチャネルと同一のチャネルであるＢＣＨを用いて送信するならば、送信部４００はステップＳ１３０で、ＳＩＢ１からＳＩＢ１転送信号を生成する。
【００８０】
ステップＳ１４０において、送信部４００は、アンテナ１００を介して、当該ページング信号を、ＰＣＨを用いて、上記ステップＳ１２０により決定されたタイミングにより無線通信端末１１のカバーエリア２１の圏内に位置する無線通信端末１２に送信し、処理を終了する。無線通信端末１１がＳＩＢ１をＢＣＨを用いて送信するならば、ステップＳ１４０にて送信部４００は、ページング信号と併せて、又はページング信号とは個別に、ＳＩＢ１転送信号を無線通信端末１１のカバーエリア２１の圏内に位置する無線通信端末１２に送信する。
【００８１】
一方、緊急速報が含まれていない場合（上記ステップＳ１１０のＮＯ）、処理を終了する。
【００８２】
以上説明したように、本発明の第１の実施の形態に係る無線通信端末によれば、受信したメッセージに、緊急性が高い情報である緊急速報が含まれている場合に、当該メッセージを、無線基地局が用いた所定のチャネルと同一のチャネルを用いて、スケジューリング情報に基づくタイミングと異なるタイミングにより送信することにより、無線基地局のカバーエリアの圏外に位置する無線通信端末であっても、緊急速報に関する情報を即時に受信させることができる。
【００８３】
＜本発明の第２の実施の形態に係る緊急速報通知システムの構成＞
図４を参照して、本発明の第２の実施の形態に係る緊急速報通知システム２の構成について説明する。図４は、本発明の実施の形態に係る緊急速報通知システム２の構成を示す概略図である。
【００８４】
なお、第１の実施の形態に係る緊急速報通知システム１と同様の構成については、同一の符号を付して詳細な説明は省略する。
【００８５】
本実施形態では、緊急速報通知システム２は、第１の実施の形態と同様に、ＬＴＥ及びＥＴＷＳに準拠する無線通信システムである場合を例に説明する。
【００８６】
図４に示すように、本実施形態に係る緊急速報通知システム２は、無線基地局１０と、無線通信端末１１と、無線通信端末１３と、無線通信端末１４とを備えて構成される。
【００８７】
図４において、無線通信端末１３が通信可能なエリアを、カバーエリア２２とする。
【００８８】
図４に示すように、無線通信端末１３は、無線基地局１０のカバーエリア２０の圏外に位置すると共に、無線通信端末１１のカバーエリア２１の圏内に位置する。また、無線通信端末１４は、無線基地局１０のカバーエリア２０の圏外かつ無線通信端末１１のカバーエリア２１の圏外に位置し、無線通信端末１３のカバーエリア２２の圏内に位置する。
【００８９】
無線通信端末１１は、第１の実施の形態と同様の構成である。なお、本実施形態において無線通信端末１１は、第１の実施の形態で説明したとおり、無線基地局１０から受信したページング信号及びＳＩＢ１を無線通信端末１１のカバーエリア２１の圏内に位置する無線通信端末１２に送信する。
【００９０】
無線通信端末１３は、アンテナ１００、ＲＦ回路、ベースバンド回路、ＣＰＵと、ＲＡＭと、後述する緊急速報通知処理ルーチンを実行するためのプログラムを記憶したＲＯＭとを備えたコンピュータで構成され、機能的には次に示すように構成されている。
【００９１】
図５に示すように、本実施形態に係る無線通信端末１３は、受信部２１０と、制御部５００と、送信部４１０とを備えて構成される。
【００９２】
受信部２１０は、他の無線通信端末１１から無線基地局１０における所定のチャネルと同一のチャネルであるＰＣＨを用いて送信されたメッセージを受信する。また、受信部２１０は、他の無線通信端末１１から無線基地局１０と同一のチャネルであるＢＣＨを用いて送信されたＳＩＢ１を受信する。
【００９３】
具体的には、受信部２１０は、アンテナ１００を介して、無線通信端末１１から無線信号であるページング信号を受信すると共に、当該ページング信号を、ページング情報に変換する。また、受信部２１０は、アンテナ１００を介して無線通信端末１１から無線信号であるＳＩＢ１転送信号を受信すると共に、当該ＳＩＢ１転送信号を、ＳＩＢ１に変換する。
【００９４】
そして、受信部２１０は、ページング情報及びＳＩＢ１を緊急速報検知部３１０に渡す。
【００９５】
制御部５００は、緊急速報検知部３１０と、判定部５１１と、履歴記憶部５１２と、決定部５１３と、スケジューラ５２０とを備えて構成される。
【００９６】
判定部５１１は、ＥＴＷＳ情報（ＳＩＢ１０、ＳＩＢ１１）に含まれるエリア情報（メッセージ配信エリアの情報）に基づいて、又は、ページング情報に含まれる当該ページング情報の転送回数に基づいて、ページング情報を送信すべきか否かを判定する。
【００９７】
具体的には、判定部５１１は、ＥＴＷＳ情報に含まれるエリア情報を抽出し、当該エリア情報と、無線通信端末１３が属するエリアとが一致するか否かを判定し、エリアが一致する場合に、ページング情報を送信すべきと判定する。
【００９８】
この場合、無線基地局１０は、ＥＴＷＳ情報にエリア情報を含めるように構成される。エリア情報は、セルレベル、ＴＡ（Ｔｒａｃｋｉｎｇ  Ａｒｅａ）レベル、ＥＡ（Ｅｍｅｒｇｅｎｃｙ  Ａｒｅａ）レベルのいずれであってもよく、これらを無線通信端末が利用しやすい情報に変換したものでもよい。
【００９９】
また、判定部５１１は、ページング情報に含まれる当該ページング情報の転送回数を抽出し、当該転送回数が予め定めた第１閾値以下か否かを判定し、第１閾値以下である場合に、ページング情報を送信すべきと判定する。
【０１００】
第１閾値は、カバーエリア２０の圏外にある無線通信端末にＥＴＷＳ情報が、不要に再転送される事態を防止するために用いられるものであり、例えば３等の整数を設定することができる。
【０１０１】
この場合、無線通信端末１１は、ページング情報に転送回数を付与する構成とする。
【０１０２】
また、判定部５１１は、ページング情報に含まれる当該ページング情報の転送回数に基づいて、ページング情報を送信すべきと判定した場合、ページング情報の転送回数に１を加える。
【０１０３】
そして、判定部５１１は、ページング情報を送信すべきと判定した場合、ページング情報を、決定部５１３に渡す。
【０１０４】
履歴記憶部５１２は、無線通信端末１３が他の無線通信端末１４とＤ２Ｄ通信した時刻を含む履歴を記憶する。
【０１０５】
具体的には、履歴記憶部５１２には、無線通信端末１３が、無線通信端末１４との間でＤ２Ｄ通信を過去にした履歴が格納される。当該履歴には、端末間通信の規格であるＤ２Ｄ通信であることを示す情報と、当該端末間通信を行った時刻とを含む。
【０１０６】
決定部５１３は、履歴の時刻と、ページング情報の受信時刻との差分が、所定の第２閾値以下である場合に、ページング情報を送信することを決定する。
【０１０７】
具体的には、決定部５１３は、まず、履歴記憶部５１２に格納される履歴のうち、最新の履歴を取得する。
【０１０８】
次に、決定部５１３は、履歴の時刻と、ページング情報を受信した時刻との差分を算出し、当該差分が予め定めた第２閾値以下であるか否かを判定する。
【０１０９】
第２閾値は、無線通信端末１３と無線通信端末１４とがＤ２Ｄ通信を行った場合において、最後のＤ２Ｄ通信が終了した後に、無線通信端末１３と端末間通信を行った他の無線通信端末が、無線通信端末１３のカバーエリア２２に位置する可能性がある時間を示すものであり、例えば６０秒や３分等を設定することができる。
【０１１０】
第２閾値は、端末間通信の規格に応じて定まるものとしてもよい。端末間通信には、Ｄ２Ｄ通信以外にも、例えば、Ｗｉ−Ｆｉ  Ｄｉｒｅｃｔや、ＩＥＥＥ  ８０２．１５．１に規定される近距離通信等の端末同士が直接通信するものであってもよい。近距離通信の場合は、無線通信端末１３のカバーエリア２２に位置する可能性がある時間が、Ｄ２Ｄ通信が最後に終了した場合よりも長いと考えられるため、Ｄ２Ｄ通信の場合よりも長い閾値、例えば１０分等を設定することができる。
【０１１１】
そして、決定部５１３は、当該差分が予め定めた第２閾値以下である場合に、スケジューラ３２０に、ページング情報及びＳＩＢ１を渡す。
【０１１２】
スケジューラ５２０は、決定部５１３から受け取ったＳＩＢ１から無線基地局１０のスケジューリング情報を取得し、当該ページング情報を送信するタイミングを、当該スケジューリング情報に基づくタイミングと異なるタイミングにより送信するように決定する。
【０１１３】
そして、スケジューラ５２０は、当該ページング情報、ＳＩＢ１、及び決定したタイミングを送信部４１０に渡す。
【０１１４】
送信部４１０は、アンテナ１００を介して、当該ページング情報を無線基地局１０が用いたチャネルと同一のチャネルであるＰＣＨを用いて、無線基地局１０のスケジューリング情報に基づくタイミングと異なるタイミングにより送信する。
【０１１５】
具体的には、送信部４１０は、スケジューラ３２０から受け取ったページング情報から、ページング情報をＰＣＨを用いて送信するためのページング信号を生成し、スケジューラ３２０から受け取ったタイミングに基づいて、生成したページング信号を無線通信端末１３のカバーエリア２１の圏内に位置する無線通信端末１４に送信する。
【０１１６】
また送信部４１０は、アンテナ１００を介して、ＳＩＢ１を無線基地局１０が用いたチャネルと同一のチャネルであるＢＣＨを用いて送信する。
【０１１７】
具体的には、送信部４１０は、無線通信端末１１から受信したＳＩＢ１から、ＳＩＢ１をＢＣＨを用いて送信するためのＳＩＢ１転送信号を生成し、ページング信号と併せて、又はページング信号と個別に、生成したＳＩＢ１転送信号を無線通信端末１３のカバーエリア２１の圏内に位置する無線通信端末１４に送信する。
【０１１８】
無線通信端末１４は、無線基地局１０のカバーエリア２０の圏内に位置する場合に、無線基地局１０からＥＴＷＳ情報を受信することができる無線通信端末である。また、無線通信端末１４は、本実施形態に係る無線通信端末１１及び無線通信端末１３と同様の構成を備えている必要はない。
【０１１９】
無線通信端末１４は、無線通信端末１３のカバーエリア２２に位置するため、無線通信端末１３から送信されたＥＴＷＳ情報を含むページング信号及びＳＩＢ１を受信することができる。
【０１２０】
なお、無線通信端末１４が、無線通信端末１３と同様の構成を備えている場合、更にページング情報及びＳＩＢ１を他の無線通信端末へ転送することができる。
【０１２１】
＜本発明の第２の実施の形態に係る無線通信端末の作用＞
図６は、本発明の第２の実施の形態に係る緊急速報通知処理ルーチンを示すフローチャートである。なお、第１の実施の形態に係る緊急速報通知処理ルーチンと同様の処理については、同一の符号を付して詳細な説明は省略する。
【０１２２】
ステップＳ２１１において、判定部５１１は、ＥＴＷＳ情報に含まれるエリア情報に基づいて、又は、ページング情報に含まれる当該ページング情報の転送回数に基づいて、ページング情報を送信すべきか否かを判定する。判定部５１１がＥＴＷＳ情報に含まれるエリア情報に基づいて判定するならば、上述のとおり、判定部５１１はＥＴＷＳ情報に含まれるエリア情報を抽出し、当該エリア情報と、無線通信端末１３が属するエリアとが一致するか否かを判定し、エリアが一致する場合に、ページング情報を送信すべきと判定する。判定部５１１がページング情報に含まれる当該ページング情報の転送回数に基づいて判定するならば、上述のとおり、判定部５１１はページング情報に含まれる当該ページング情報の転送回数を抽出し、当該転送回数が予め定めた第１閾値以下か否かを判定し、第１閾値以下である場合に、ページング情報を送信すべきと判定する。
【０１２３】
ページング情報を送信すべきと判定した場合（上記ステップＳ２１１のＹＥＳ）、ステップＳ２１２において、決定部５１３は、履歴記憶部５１２に格納される履歴のうち、最新の履歴を取得する。
【０１２４】
ステップＳ２１３において、決定部５１３は、履歴の時刻と、ページング情報を受信した時刻との差分を算出する。
【０１２５】
ステップＳ２１４において、決定部５１３は、上記ステップＳ２１３により得られた差分が予め定めた第２閾値以下であるか否かを判定する。
【０１２６】
差分が第２閾値以下である場合（上記ステップＳ２１４のＹＥＳ）、ステップＳ２２０において、スケジューラ５２０は、決定部５１３から受け取ったＳＩＢ１から無線基地局１０のスケジューリング情報を取得し、当該ページング情報を送信するタイミングを、当該スケジューリング情報に基づくタイミングと異なるタイミングにより送信するように決定する。
【０１２７】
ステップＳ２３０において、送信部４１０は、上記ステップＳ１００により受信したページング情報から、当該ページング情報を無線基地局１０が用いたチャネルと同一のチャネルであるＰＣＨを用いて送信するためのページング信号を生成する。また、送信部４１０は、無線通信装置１１から受信したＳＩＢ１から、当該ＳＩＢ１を無線基地局１０が用いたチャネルと同一のチャネルであるＢＣＨを用いて送信するためのＳＩＢ１転送信号を生成する。
【０１２８】
ステップＳ２４０において、送信部４１０は、アンテナ１００を介して、上記ステップＳ２３０により得られたページング信号を、ＰＣＨを用いて、上記ステップＳ２２０により決定されたタイミングにより無線通信端末１３のカバーエリア２２の圏内に位置する無線通信端末１４に送信する。また、ステップＳ２４０で送信部４００は、アンテナ１００を介して、ページング信号と併せて、又はページング信号とは個別に、ＳＩＢ１転送信号を無線通信端末１３のカバーエリア２２の圏内に位置する無線通信端末１４に送信し、処理を終了する。
【０１２９】
一方、差分が第２閾値以下でない場合（上記ステップＳ２１４のＮＯ）、処理を終了する。
【０１３０】
一方、ページング情報を送信すべきと判定しなかった場合（上記ステップＳ２１１のＮＯ）、処理を終了する。
【０１３１】
以上説明したように、本発明の第２の実施形態に係る無線通信端末によれば、緊急速報に含まれるエリア情報に基づいて、又は、メッセージに含まれるメッセージの転送回数に基づいて、メッセージを送信すべきか否かを判定することにより、無線基地局のカバーエリアの圏外に位置する無線通信端末に、適切な範囲で緊急速報に関する情報を即時に送信することができる。
【０１３２】
また、本実施形態に係る無線通信端末によれば、他の無線通信端末と端末間通信した時刻を含む履歴を記憶し、履歴の時刻と、メッセージの受信時刻との差分が、所定の閾値以下である場合に、メッセージを送信することを決定することにより、無線通信端末のカバーエリアの圏内に位置する可能性がある他の無線通信端末に緊急速報を送信することができるため、無線通信端末のカバーエリアの圏内に位置し、かつ、無線基地局のカバーエリアの圏外に位置する当該他の無線通信端末に、緊急速報に関する情報をより適切かつ即時に送信することができる。
【０１３３】
なお、本発明は、上述した実施の形態に限定されるものではなく、この発明の要旨を逸脱しない範囲内で様々な変形や応用が可能である。
【０１３４】
例えば、第１の実施の形態において、無線通信端末１１が、緊急速報に含まれるエリア情報に基づいて、又は、メッセージに含まれるメッセージの転送回数に基づいて、メッセージを送信すべきか否かを判定する構成を採用してもよい。
【０１３５】
また、第１の実施の形態において、無線通信端末１１が、他の無線通信端末１２と端末間通信した時刻を含む履歴を記憶し、履歴の時刻と、メッセージの受信時刻との差分が、所定の閾値以下である場合に、メッセージを送信することを決定する構成を採用してもよい。
【０１３６】
また、第１の実施の形態において、第２の実施の形態に係る無線通信端末１３と同様に、無線通信端末１１が、判定部５１１及び決定部５１３の処理の両方を行う構成としてもよい。
【０１３７】
また、第２の実施の形態において、無線通信端末１３は、判定部５１１及び決定部５１３の処理の両方を行う構成としたが、これに限定されるものではなく、判定部５１１及び決定部５１３の処理のいずれか一方のみを行う構成としてもよい。
【０１３８】
緊急速報に含まれるエリア情報に基づいて、又は、メッセージに含まれるメッセージの転送回数に基づいて、メッセージを送信すべきか否かを判定するものとしたが、緊急速報に含まれるエリア情報、及び、メッセージに含まれるメッセージの転送回数に基づいて、メッセージを送信すべきか否かを判定する構成としてもよい。
【０１３９】
また、上述の実施の形態では、緊急速報通知システムの無線基地局のカバーエリアの圏内及び圏外の無線通信端末はそれぞれ１台であるものとして説明したが、これに限定されるものではなく、複数存在していてもよい。
【０１４０】
また、本発明の実施の形態に係る無線通信端末が、無線基地局と同様のメッセージを転送することで、ＬＴＥ以外の無線通信技術に対しても適用可能である。
【０１４１】
また、上述した本発明の第１の実施の形態及び第２の実施の形態について、次に説明する変形を行ってもよい。
【０１４２】
無線基地局１０は、定期的にＰＣＨを用いてページング信号を送信する。ここで、第１の実施の形態及び第２の実施の形態と異なり、無線基地局１０から送信されるページング信号にＳＩＢ１が含まれていてもよい。この場合、無線通信端末１１は、受信部２００（受信部２１０）により無線基地局１０からＰＣＨを用いて、無線基地局１０のスケジューリング情報に基づくタイミングにより送信された、当該スケジューリング情報を含むページング信号を受信する。
【０１４３】
本変形例において、第１の実施の形態における無線通信端末１１の構成（図２）、及び第２の実施の形態における無線通信端末１３の構成（図５）は変更されないが、緊急速報検知部３１０及びスケジューラ３２０（図５においてはスケジューラ５２０）の動作が一部異なる。即ち、緊急速報検知部３１０は受信部２００（受信部２１０）からページング情報を取得し、当該ページング情報をスケジューラ３２０（スケジューラ５２０）に渡す。スケジューラ３２０（スケジューラ５２０）は、緊急速報検知部３１０から受け取ったページング情報のＳＩＢ１から無線基地局１０のスケジューリング情報を取得し、当該スケジューリング情報に基づくタイミングと異なるタイミングにより当該ページング情報を送信するように決定する。
【０１４４】
本変形例において、第１の実施の形態における無線通信端末１１の緊急速報通知処理ルーチン（図３）、及び第２の実施の形態における無線通信端末１３の緊急速報通知処理ルーチン（図６）は変更されないが、無線通信端末１１（無線通信端末１３）がページング信号を受信する動作（図３及び図６のステップＳ１００）と、スケジューラ３２０の動作（図３のステップＳ１２０）（図５においてはスケジューラ５２０、図６においてはステップＳ２２０）が一部異なる。
【０１４５】
即ち、図３及び図６のステップＳ１００については、受信部２００（受信部２１０）は、無線基地局１０から（第２の実施の形態においては無線通信端末１１から）ＰＣＨを用いて、無線基地局１０のスケジューリング情報に基づくタイミングにより送信された、当該スケジューリング情報を含むページング情報を受信する。
【０１４６】
図３のステップＳ１２０については、緊急速報が含まれている場合（上記ステップＳ１１０のＹＥＳ）、スケジューラ３２０は、上記ステップＳ１００により受信したページング情報のＳＩＢ１から無線基地局１０のスケジューリング情報を取得し、当該ページング情報を送信するタイミングを、当該スケジューリング情報に基づくタイミングと異なるタイミングにより送信するように決定する。
【０１４７】
図６のステップＳ２２０については、差分が第２閾値以下である場合（上記ステップＳ２１４のＹＥＳ）、ステップＳ２２０において、スケジューラ５２０は、決定部５１３から受け取ったページング情報のＳＩＢ１から無線基地局１０のスケジューリング情報を取得し、当該ページング情報を送信するタイミングを、当該スケジューリング情報に基づくタイミングと異なるタイミングにより送信するように決定する。
【０１４８】
以上説明したように、本変形例によれば、無線基地局から送信されるページング信号にＳＩＢ１が含まれていても、第１の実施の形態及び第２の実施の形態と同様の効果を奏する。つまり無線通信端末は、受信したメッセージに緊急性が高い情報である緊急速報が含まれているならば、当該メッセージを無線基地局が用いた所定のチャネルと同一のチャネルを用いて、スケジューリング情報に基づくタイミングと異なるタイミングにより送信する。これにより無線基地局のカバーエリアの圏外に位置する無線通信端末であっても、緊急速報を即時に受信させることができる。
【０１４９】
本願明細書中において、プログラムが予めインストールされている実施の形態として説明したが、当該プログラムを、コンピュータ読み取り可能な記録媒体に格納して提供することも可能である。
【符号の説明】
【０１５０】
１、２ 緊急速報通知システム
１０   無線基地局
１１、１２、１３、１４      無線通信端末
２０、２１、２２     カバーエリア
１００ アンテナ
２００、２１０       受信部
３００、５００       制御部
３１０ 緊急速報検知部
３２０、５２０       スケジューラ
４００、４１０       送信部
５１１ 判定部
５１２ 履歴記憶部
５１３ 決定部
【図１】
2020036204.tif 000003
【図２】
2020036204.tif 000004
【図３】
2020036204.tif 000005
【図４】
2020036204.tif 000006
【図５】
2020036204.tif 000007
【図６】
2020036204.tif 000008